(57)【要約】【課題】着用する際、着ている衣類を傷めることがなく、比較的軽量で丈夫であり、取扱性等に優れた、放射線防護エプロンを提供する。【解決手段】着用時に少なくとも肩部及び肩胛骨部を被覆する左背面部２１と右背面部２２は、それぞれメッシュ素材で形成されるとともに、前面部１０の首周り部１２から縦方向に延びる縦輪郭線２３と、アームホール部３０の下方の脇部３１から横方向に延びる横輪郭線２４とで画されて形成され、かつ縦輪郭線２３と横輪郭線２４が交わるコーナー部２５は、背面部側でウエストラインの近傍に位置する。左背面部２３及び右背面部２４の各コーナー部２５に細幅のベルト４０を取り付けるとともに、コーナー部２５とアームホール部３０ないし脇部３１とを横断する帯状補強材２７を設ける。【選択図】図１
2010189805.tif 000002
【特許請求の範囲】
【請求項１】
前面部と背面部とアームホール部とを有してなり、
背面部は、着用時に少なくとも肩部及び肩胛骨部を被覆する左背面部と右背面部とを有し、
前記左背面部及び前記右背面部は、それぞれメッシュ素材で形成されるとともに、前記前面部の首周り部から縦方向に延びる縦輪郭線と、前記アームホール部の下方の脇部から横方向に延びる横輪郭線とで画されて形成され、かつ前記縦輪郭線と前記横輪郭線が交わるコーナー部は、背面部側でウエストラインの近傍に位置しており、
前記左背面部及び前記右背面部の各コーナー部に細幅のベルトを取り付けるとともに、前記コーナー部と前記アームホール部ないし脇部とを横断する帯状補強材を設けた、放射線防護エプロン。
【発明の詳細な説明】
【技術分野】
【０００１】
本発明は、放射線防護エプロン、詳しくは、放射線診療従事者等が放射線防護のために着用する、エプロンタイプの放射線防護衣に関する。
【背景技術】
【０００２】
放射線診療従事者は、放射線被曝による身体への悪影響を避けるため、高い遮蔽性を有する鉛を含有した塩化ビニル樹脂等の合成樹脂シートを用いて製作された放射線防護衣を着用して作業を行っている。放射線診療従事者のみならず、受診者に同伴して放射線診療室に入る者も被曝を避けるため放射線防護衣を着用するケースは多い。
【０００３】
従来、この種の放射線防護衣として、図３に示すものが知られている。この防護衣５０は、アームホール部に腕を通して着用するエプロンタイプのもので、背面部５１，５１は、両肩部及び脇下部から肩胛骨部を覆うとともに、ほぼ左右肩甲骨部の間で交叉した後それぞれ斜め下方に延びる左右一対の帯状部５２，５２を有しており、この帯状部５２，５２の各端部５３，５３は、前面部５５の脇部（骨盤付近）に面ファスナーで固定されるようになっている。上記帯状部５２，５２の各端部５３，５３を除く背面部５１，５１は、通気性を有するメッシュ素材で形成されたものがあり、通気性を確保するとともに軽量化が図られている。
【０００４】
しかし、放射線防護衣は含鉛シートで重量が重いので身体にしっかりと固定する必要があり、また様々な体格に合わせて着用できるようにするため、上記従来の放射線防護衣にあっては、帯状部５２，５３の各端部５４，５５を前面部５６の脇部に固定するための面ファスナー部分（図３（ａ）において散点ハッチングで示す。）の面積がある程度大きくならざるを得ない。このため、放射線防護衣を着用する際、この面ファスナー部分が、着ている衣類に触れやすく、触れることによって、着ている衣類の生地を傷めるおそれがあった。
【０００５】
なお、被服において、通気性や伸縮性を確保するため、適宜箇所をメッシュ素材で形成することは、特許文献１に記載されているとおり知られている。
【先行技術文献】
【特許文献】
【０００６】
【特許文献１】登録実用新案３０７１８２８号公報
【発明の概要】
【発明が解決しようとする課題】
【０００７】
本発明は、着用する際、着ている衣類を傷めることがなく、比較的軽量で丈夫であり、取扱性等に優れた、エプロンタイプの放射線防護衣（以下、放射線防護エプロンという。）を提供することを目的とする。
【課題を解決するための手段】
【０００８】
本発明の放射線防護エプロンは、前面部と背面部とアームホール部とを有してなり、
背面部は、着用時に少なくとも肩部及び肩胛骨部を被覆する左背面部と右背面部とを有し、
前記左背面部及び前記右背面部は、それぞれメッシュ素材で形成されるとともに、前記前面部の首周り部から縦方向に延びる縦輪郭線と、前記アームホール部の下方の脇部から横方向に延びる横輪郭線とで画されて形成され、かつ前記縦輪郭線と前記横輪郭線が交わるコーナー部は、背面部側でウエストラインの近傍に位置しており、
前記左背面部及び前記右背面部の各コーナー部に細幅のベルトを取り付けるとともに、前記コーナー部と前記アームホール部ないし脇部とを横断する帯状補強材を設けたことを主要な特徴とする。
【発明の効果】
【０００９】
本発明の放射線防護エプロンは、従来のもののように面ファスナーを用いておらず、左背面部及び右背面部の各コーナー部に取り付けた細幅のベルトを腰に巻き回して着用するため、着用する際、着ている衣類を傷めることがない。また、左背面部及び右背面部が従来のものに比べて少面積であるため、比較的軽量であり、取り扱いやすい。さらに、メッシュ素材で形成された左背面部及び右背面部に、コーナー部とアームホール部ないし脇部とを横断する帯状補強材を設けているため、長期間の使用による型崩れを防止することができるという利点がある。
【図面の簡単な説明】
【００１０】
【図１】本発明の実施の形態に係る放射線防護エプロンの、（ａ）は正面図、（ｂ）は背面図である。
【図２】本発明の実施の形態に係る放射線防護エプロンのコーナー部付近の拡大斜視図である。
【図３】従来の放射線防護エプロンの、（ａ）は正面図、（ｂ）は背面図である。
【発明を実施するための形態】
【００１１】
以下、本発明の放射線防護エプロンの実施の形態を図１，２を参照して説明する。
【実施例１】
【００１２】
放射線防護エプロン１は、前面部１０と背面部２０とアームホール部３０，３０とを有し、さらに、腰に巻き回して固定するための細幅のベルト４０，４０を有する。
首周り部１２を含む前面部１０、背面部２０及びアームホール部３０の各縁部は、合成樹脂シート等の適宜素材を用いた縁取りテープによって、縫着等の手段で、補強を兼ねた縁取り処理がなされている。
前面部１０は、所定の放射線遮蔽性能を有する、鉛を含有した塩化ビニル樹脂等の合成樹脂シートで作られている。前面部１０は、着用時に少なくとも胸部と腹部を被覆する。
【００１３】
背面部２０は、着用時に少なくとも肩部及び肩胛骨部を被覆する左背面部２１と右背面部２２とを有する。左背面部２１及び右背面部２２は、それぞれメッシュ素材で形成されている。
メッシュ素材は、合成繊維メッシュその他の網目状の素材で、衣類としての通気性を確保し得るものであればよく、材料、メッシュ数、メッシュの孔の形状等、限定されない。
左背面部２１及び右背面部２２は、アームホール３０の背面側において、前面部１０の中央上端縁を形成する首周り部１２から縦方向に延びる縦輪郭線２３と、アームホール部３０の下方の脇部３１から横方向に延びる横輪郭線２４とでそれぞれ画されて形成され、かつ縦輪郭線２３と横輪郭線２４が交わるコーナー部２５は、背面部２０側でウエストラインの近傍に位置している。
【００１４】
左背面部２１及び右背面部２２の各コーナー部２５，２５には、細幅のベルト４０，４０が取り付けられている。細幅のベルト４０，４０は、腰に巻き回して使用するためのもので、互いに交叉させてウエスト前面側に回して締め、腹部において結ぶ等により固定する。
細幅のベルト４０，４０は、例えば、幅１５〜２５ｍｍ程度のもので、アクリル、木綿、ナイロン等の平紐を好適に用いることができる。
【００１５】
そして、左背面部２１及び右背面部２２には、コーナー部２５とアームホール部３０（背面部側）ないし脇部３１とを横断する帯状補強材２７が設けられている。
帯状補強材２７は、コーナー部（端部）２５から斜め上方に傾斜して延び、アームホール部３０（背面部側）ないし脇部３１で終止している。図示のものは、アームホール部３０の下端位置（脇の下）で終止している例を示している。
【００１６】
左背面部２１及び右背面部２２は、メッシュ素材で構成されており、メッシュ素材は、その構造上、伸縮性に富む。また、コーナー部２５，２５には、細幅のベルト４０，４０が取り付けられ、着用時に、このベルト４０，４０を交叉させて腰に巻き回して締めるため、左背面部２１及び右背面部２２において、コーナー部２５とアームホール部３０ないし脇部３１との間に引っ張り力が働く。このため、左背面部２１及び右背面部２２の縁に縁取りテープが施されていても、長期間の使用によって、メッシュ素材が伸びて経年的に型崩れを生じやすい。しかし、コーナー部２５とアームホール部３０ないし脇部３１とを横断する帯状補強材２７を設けることによって、メッシュ素材の伸びを規制し、長期間の使用による型崩れを防止することができる。
帯状補強材２７は、図示のように一本の帯状に形成するほか、数本設けることも可能である。帯の形状は必ずしも直線状でなくてもよい。左背面部２１及び右背面部２２の両面又は片面のいずれに設けることも可能である。その素材としては、合成樹脂シートあるいは布帛類を用いることができるが、伸縮性がないかきわめて小さいものであれば、限定されない。縫着、接着、溶着、その他の適宜固定手段を用いることができる。
【００１７】
図２に示すように、細幅のベルト４０は、コーナー部２５に装着したコカン４１に着脱自在に取り付けられている。コカン４１は、鉄線を曲げ加工して輪状にした金具であるが、その形状は矩形状のほか、いわゆるＤカン、丸カン等の適宜形状を含むものとする。符号４３はコカン４１を装着するためのテープ状の取付片である。
ベルト４０をコカン４１に着脱自在に取り付けたことにより、ベルトが消耗して交換を要する場合、防護エプロンを修理のためメーカーに送る必要がなく、ユーザーサイドでベルトのみ交換すればよいのできわめて簡便である。
【００１８】
細幅のベルト４０の少なくとも一部には、伸縮性素材４５を備えている。図示の例では、伸縮性素材として平ゴム４５を用い、１８０°折り返した平ゴム４５の両端部を、ベルト４０の一方端部に縫着してある。平ゴム４５をコカン４１に挿通させるとともに折り返した平ゴム４５によって形成されるリング内にベルト４０の他方端部を通して結ぶことによって、簡単にベルト４０を取り付けることができ、また取り外しも頗る簡単である。
【００１９】
細幅のベルト４０の少なくとも一部に伸縮性素材４５を備えることで、着用時のフィット性を向上させることができるとともに、次のような利点がある。
放射線防護衣は、一つのサイズで様々な体格の人が着用できることが望ましく、そのためには、ベルトを長くする必要がある。しかし、ベルトを長くすると、保管時や着脱時にベルトが床に接しやすくなり、不衛生な床の場合には衛生上の問題が生じる。したがって、ベルトは、衛生上の視点から所要の長さに収める必要がある。伸縮性素材を用いないベルトでは、その長さを所要の長さ以内に設定すると、限定された体格の人にしか適応できない製品となってしまうが、細幅のベルト４０の少なくとも一部に伸縮性素材４５を備えることにより、衛生上の問題を解決するとともに、様々な体格の人が着用することができる。
【符号の説明】
【００２０】
１    放射線防護エプロン
１０  前面部
１２  首周り部
２１  左背面部
２２  右背面部
２３  縦輪郭線
２４  横輪郭線
２５  コーナー部
２７  帯状補強材
３０  アームホール部
４０  ベルト
４１  コカン
４５  伸縮性素材
【図１】
2010189805.tif 000003
【図２】
2010189805.tif 000004
【図３】
2010189805.tif 000005